(57)【要約】【課題】狭くて屈曲した空間内に導電路を配索できるようにする。【解決手段】コネクタ（Ａ）は、端子基部（３８）と、端子基部（３８）から互いに異なる方向へ延出した３本のタブ（３９Ｆ，３９Ｄ，３９Ｒ）を有する端子金具（３７Ｆ，３７Ｓ，３７Ｔ）と、端子基部（３８）を収容する本体部（１１）と、３本のタブ（３９Ｆ，３９Ｄ，３９Ｒ）を個別に包囲する３つのフード部（１２Ｆ，１２Ｄ，１２Ｒ）を有するハウジング（１０）と、を備えている。３本のタブ（３９Ｆ，３９Ｄ，３９Ｒ）に３本の導電路（６１Ｆ，６１Ｄ，６１Ｒ）の端部を接続すると、２本のタブ（３９Ｆ，３９Ｒ）と２本の導電路（６１Ｆ，６１Ｒ）とで幹線（５２Ｍ）が構成されるとともに、１本のタブ（３９Ｄ）と１本の導電路（６１Ｄ）とで分岐線５２Ｓが構成される。【選択図】図４
2018113098.tif 000002
【特許請求の範囲】
【請求項１】
端子基部と、前記端子基部から互いに異なる方向へ延出した３本のタブを有する端子金具と、
前記端子基部を収容する本体部と、前記３本のタブを個別に包囲する３つのフード部を有するハウジングと、を備えていることを特徴とするコネクタ。
【請求項２】
前記本体部と前記３つのフード部とを区画する３つの隔壁部には、前記タブを位置決めする位置決め孔が形成されていることを特徴とする請求項１記載のコネクタ。
【請求項３】
前記ハウジングが、前記本体部を構成する収容部と１つの前記フード部とを一体化した複数の分割体を合体した形態であることを特徴とする請求項１又は請求項２記載のコネクタ。
【請求項４】
上面に複数の保持溝が形成され且つ上下に貫通する複数の貫通孔が形成された仮保持部材を備えており、
前記３本のタブは、前記端子基部から前方と後方と下方へ延出しており、
前記端子基部を前記保持溝に取り付けるとともに、下方へ延出した前記タブを前記貫通孔に貫通させた状態で、複数の前記端子金具が前記仮保持部材に取り付けられていることを特徴とする請求項１ないし請求項３のいずれか１項に記載のコネクタ。
【請求項５】
複数の前記仮保持部材は、上下に積層した状態で組付け可能であることを特徴とする請求項４記載のコネクタ。
【請求項６】
前記複数の仮保持部材は、全て同一の形状であって、積層状態で互いに前後方向に位置ずれした位置関係となるように嵌合する嵌合部を有していることを特徴とする請求項５記載のコネクタ。
【請求項７】
前記下方へ延出したタブの前記端子基部からの延出寸法は、下段側の前記仮保持部材に取り付けた前記端子金具よりも、上段側の前記仮保持部材に取り付けた前記端子金具の方が長く設定されていることを特徴とする請求項６記載のコネクタ。
【請求項８】
前方へ延出した前記タブの前記端子基部からの延出寸法は、前側の前記仮保持部材に取り付けた前記端子金具よりも、後側の前記仮保持部材に取り付けた前記端子金具の方が長く設定されていることを特徴とする請求項６又は請求項７記載のコネクタ。
【請求項９】
後方へ延出した前記タブの前記端子基部からの延出寸法は、後側の前記仮保持部材に取り付けた前記端子金具よりも、前側の前記仮保持部材に取り付けた前記端子金具の方が長く設定されていることを特徴とする請求項６ないし請求項８のいずれか１項記載のコネクタ。
【請求項１０】
１つの前記ハウジングに複数の前記端子金具が取り付けられており、
前記ハウジングには、前記タブに接触することで前記複数の端子金具同士を短絡させる短絡部材が設けられていることを特徴とする請求項１ないし請求項９のいずれか１項記載のコネクタ。
【請求項１１】
前記短絡部材が、前記タブを接触状態で貫通させる導通孔と、前記タブを非接触状態で貫通させる非接触孔とを備えていることを特徴とする請求項１０記載のコネクタ。
【発明の詳細な説明】
【技術分野】
【０００１】
本発明は、コネクタに関するものである。
【背景技術】
【０００２】
特許文献１には、複数本の電線を束ねた導電路（ワイヤーハーネス）において、電線の一部を分岐するように屈曲させ、その屈曲部分を粘着テープの巻き付けによって屈曲状態に保持する技術が開示されている。このように電線の屈曲部分を粘着テープで固定する技術は、２本の電線をスプライス結線し、一方の電線を屈曲させて分岐させる場合にも用いられる。
【先行技術文献】
【特許文献】
【０００３】
【特許文献１】特開平５−１１４３１５号公報
【発明の概要】
【発明が解決しようとする課題】
【０００４】
電線の芯線は金属製であって曲げ剛性が高いので、電線を無理に小さい曲率半径で屈曲させると、断線してしまう虞がある。そのため、電線を小さい曲率半径で屈曲させることは難しく、電線の屈曲部が膨らむことは避けられない。特に、屈曲させる電線の本数が多くなるほど、曲率半径が大きくなって、屈曲部分の体積も増大する。屈曲部分が膨らんだものの場合、例えば自動車のボディのピラーの内部のような狭くて屈曲した空間内に導電路を配索することは困難である。
【０００５】
本発明は上記のような事情に基づいて完成されたものであって、狭くて屈曲した空間内に導電路を配索できるようにすることを目的とする。
【課題を解決するための手段】
【０００６】
本発明のコネクタは、
端子基部と、前記端子基部から互いに異なる方向へ延出した３本のタブを有する端子金具と、
前記端子基部を収容する本体部と、前記３本のタブを個別に包囲する３つのフード部を有するハウジングと、を備えているところに特徴を有する。
【発明の効果】
【０００７】
３本のタブに３本の導電路の端部を接続すると、２本のタブと２本の導電路とで幹線が構成されるとともに、１本のタブと１本の導電路とで分岐線が構成される。幹線から分岐線が分岐する部分は、端子金具の端子基部とタブの基端部とで構成されているので、タブの基端部を直線形状にすれば、本線と分岐線との分岐部分の曲率半径を小さくすることができる。本発明のコネクタを用いれば、狭くて屈曲した空間内に導電路を配索することが可能である。
【図面の簡単な説明】
【０００８】
【図１】実施例１のコネクタの斜視図
【図２】コネクタの正面図
【図３】コネクタの平面図
【図４】図２のＡ−Ａ線断面図
【図５】図２のＢ−Ｂ線断面図
【図６】図３のＣ−Ｃ線断面図
【図７】ハウジングを３つの分割体に分離した状態をあらわす斜視図
【図８】３つの仮保持部材によって複数の端子金具を仮保持して構成された端子モジュールの斜視図
【図９】端子モジュールの側面図
【図１０】端子モジュールを３つに分離した状態をあらわす斜視図
【図１１】仮保持部材の斜視図
【図１２】３種類の端子金具を分離して並べた状態をあらわす斜視図
【図１３】短絡モジュールの斜視図
【図１４】短絡ユニットの斜視図
【図１５】短絡ユニットの正面図
【図１６】短絡ユニットの背面図
【図１７】絶縁プレートの斜視図
【図１８】短絡プレートの斜視図
【図１９】コネクタの組付け過程をあらわす斜視図
【発明を実施するための形態】
【０００９】
本発明のコネクタは、前記本体部と前記３つのフード部とを区画する３つの隔壁部には、前記タブを位置決めする位置決め孔が形成されていてもよい。この構成によれば、１つの端子金具を、３つの位置決め孔によって安定して位置決めすることができる。
【００１０】
本発明のコネクタは、前記ハウジングが、前記本体部を構成する収容部と１つの前記フード部とを一体化した複数の分割体を合体した形態であってもよい。この構成によれば、複数の収容部を合体することにより、端子基部を本体部内に収容することが可能である。
【００１１】
本発明のコネクタは、上面に複数の保持溝が形成され且つ上下に貫通する複数の貫通孔が形成された仮保持部材を備えており、前記３本のタブは、前記端子基部から前方と後方と下方へ延出しており、前記端子基部を前記保持溝に取り付けるとともに、下方へ延出した前記タブを前記貫通孔に貫通させた状態で、複数の前記端子金具が前記仮保持部材に取り付けられていてもよい。この構成によれば、１つの仮保持部材によって複数の端子金具を位置決めして仮保持しておくことができる。
【００１２】
本発明のコネクタは、複数の前記仮保持部材は、上下に積層した状態に組付け可能であってもよい。この構成によれば、前方へ延出したタブ同士を上下に並べて配置することができるとともに、後方へ延出したタブ同士を上下に並べて配置することができる。
【００１３】
本発明のコネクタは、前記複数の仮保持部材は、全て同一の形状であって、積層状態で互いに前後方向に位置ずれした位置関係となるように嵌合する嵌合部を有していてもよい。この構成によれば、下方へ延出した複数のタブ同士を、互いに干渉させることなく前後に並ぶように配置することができる。
【００１４】
本発明のコネクタは、前記下方へ延出したタブの前記端子基部からの延出寸法は、下段側の前記仮保持部材に取り付けた前記端子金具よりも、上段側の前記仮保持部材に取り付けた前記端子金具の方が長く設定されていてもよい。この構成によれば、下方へ延出したタブの下端の高さを揃えることができる。
【００１５】
本発明のコネクタは、前方へ延出した前記タブの前記端子基部からの延出寸法は、前側の前記仮保持部材に取り付けた前記端子金具よりも、後側の前記仮保持部材に取り付けた前記端子金具の方が長く設定されていてもよい。この構成によれば、前方へ延出したタブの延出端の位置を揃えることができる。
【００１６】
本発明のコネクタは、後方へ延出した前記タブの前記端子基部からの延出寸法は、後側の前記仮保持部材に取り付けた前記端子金具よりも、前側の前記仮保持部材に取り付けた前記端子金具の方が長く設定されていてもよい。この構成によれば、後方へ延出したタブの延出端の位置を揃えることができる。
【００１７】
本発明のコネクタは、１つの前記ハウジングに複数の前記端子金具が取り付けられており、前記ハウジングには、前記タブに接触することで前記複数の端子金具同士を短絡させる短絡部材が設けられていてもよい。この構成によれば、端子金具同士を短絡させることができる。
【００１８】
本発明のコネクタは、前記短絡部材が、前記タブを接触状態で貫通させる導通孔と、前記タブを非接触状態で貫通させる非接触孔とを備えていてもよい。この構成によれば、導通孔と非接触孔の配置を適宜に設定することで、所望の端子金具を短絡させることができる。
【００１９】
＜実施例１＞
以下、本発明を具体化した実施例１を図１〜図９を参照して説明する。尚、以下の説明において、前後の方向については、図３〜５における右方を前方と定義する。上下の方向については、図１，２，４，６〜１９にあらわれる向きを、そのまま上方、下方と定義する。
【００２０】
本実施例１のコネクタＡは、例えば自動車のボディのピラーの内部のような狭く屈曲した空間内にワイヤーハーネス５０を配索する場合に用いられるものであり、ワイヤーハーネス５０を構成する複数の導電路５１Ｆ，５１Ｄ，５１Ｒを中継して分岐させる機能を有する。コネクタＡは、合成樹脂製のハウジング１０と、ハウジング１０内に設けた１つの端子モジュール３０と、ハウジング１０内に設けた３つの短絡モジュール４０とを備えている。
【００２１】
＜ハウジング１０＞
ハウジング１０は、内部が収容空間となっている箱形の本体部１１と、本体部１１から角筒状の前向きフード部１２Ｆ（請求項に記載のフード部）と角筒状後向きフード部１２Ｒ（請求項に記載のフード部）と角筒状の下向きフード部１２Ｄ（請求項に記載のフード部）とを突出させた形態であり、ハウジング１０の側面視形状は概ねＴ字形をなしている。ハウジング１０の平面に形状は前後方向に長い長方形である。図７に示すように、ハウジング１０は、前側分割体１３Ｆ（請求項に記載の分割体）と、後側分割体１３Ｒ（請求項に記載の分割体）と、下側分割体１３Ｄ（請求項に記載の分割体）とを合体して構成されている。
【００２２】
前側分割体１３Ｆは、前向きフード部１２Ｆの後端から後方へ延出した角筒状の前側収容部１４Ｆと、前向きフード部１２Ｆの後端と前側収容部１４Ｆの前端を区画する隔壁部１５とを備えた単一部品である。後側分割体１３Ｒは、後向きフード部１２Ｒの前端から前方へ延出した角筒状の後側収容部１４Ｒと、後向きフード部１２Ｒの前端と後側収容部１４Ｒの後端を区画する隔壁部１５とを備えた単一部品である。
【００２３】
下側分割体１３Ｄは、下向きフード部１２Ｄの上端から下方へ延出した角筒状の下側収容部１４Ｄと、下向きフード部１２Ｄの上端と下側収容部１４Ｄの下端を区画する隔壁部１５とを備えた単一部品である。前側分割体１３Ｆと後側分割体１３Ｒの隔壁部１５には前後方向に貫通する複数の位置決め孔１６が形成され、下側分割体１３Ｄの隔壁部１５には上下方向に貫通する複数の位置決め孔１６が形成されている。
【００２４】
図１に示すように、前側分割体１３Ｆと後側分割体１３Ｒは、前側分割体１３Ｆの上面後端縁に形成したロックアーム１７とロック孔１８を、夫々、後側分割体１３Ｒの上面前端縁に形成したロック孔１８とロックアーム１７に係止することで、前後に隣接して合体した状態に保持されている。前側分割体１３Ｆの後面の開口縁部に形成した左右一対の連結リブ１９と、後側分割体１３Ｒの前面の開口縁部に形成した左右一対の連結リブ１９とが、前後に合体した状態となっている。
【００２５】
下側分割体１３Ｄには、その上面の開口縁における左右両端部から上方へ突出した一対の溝形アーム部２０が形成されている。前後両分割体１３Ｆ，１３Ｒに対して下側分割体１３Ｄを下から組み付けると、左右の連結リブ１９が左右の溝形アーム部２０内に嵌合し、図７に示すように、連結リブ１９のロック突起２１が溝形アーム部２０のロック受け部２２に係止することで、３つの分割体１３Ｆ，１３Ｄ，１３Ｒが合体状態にロックされる。３つの分割体１３Ｆ，１３Ｄ，１３Ｒが合体した状態では、前側収容部１４Ｆと後側収容部１４Ｒと下側収容部１４Ｄとによって本体部１１が構成され、本体部１１内に側面視Ｔ字形の収容空間が構成される。
【００２６】
＜端子モジュール３０＞
端子モジュール３０は、図８〜１０に示すように、３つの仮保持部材３１と、複数の第１端子金具３７Ｆ（請求項に記載の端子金具）と、複数の第２端子金具３７Ｓ（請求項に記載の端子金具）と、複数の第３端子金具３７Ｔ（請求項に記載の端子金具）とから構成されている。
【００２７】
３つの仮保持部材３１は、形状及び寸法が同一の部品である。図１１に示すように、仮保持部材３１は、全体として左右方向に長い平面視略方形の板状をなしている。仮保持部材３１の上面における左右方向中央部には、嵌合凸部３２（請求項に記載の嵌合部）が形成されている。仮保持部材３１の下面における左右方向中央部には、嵌合凹部３３（請求項に記載の嵌合部）が形成されている。図９に示すように、嵌合凹部３３は、嵌合凸部３２よりも後方にずれた位置に配されている。
【００２８】
３つの仮保持部材３１は、上下に積層するように組み付けられている。組付け状態では、上側の仮保持部材３１の嵌合凹部３３と、下側の仮保持部材３１の嵌合凸部３２とを嵌合させることにより、両仮保持部材３１が前後方向及び左右方向に位置決めされる。嵌合凸部３２は嵌合凹部３３より前方に位置するので、上段の仮保持部材３１が最も前側に位置し、下段の仮保持部材３１が最も後側に位置する。
【００２９】
仮保持部材３１の上面のうち嵌合凸部３２より右方領域及び左方領域には、前後方向に細長い複数の保持溝３４が左右に並列して形成されている。保持溝３４のうち前後方向中央より少し後方の部分は、左右方向一方向へ幅を拡大した形態の拡幅部３５となっている。仮保持部材３１には、仮保持部材３１を上下方向に貫通する複数の貫通孔３６が形成されている。各保持溝３４には、前後に並ぶ３つの貫通孔３６が対応するように配されている。３つの貫通孔３６のうち後端の貫通孔３６は、拡幅部３５の前端部に位置している。３つの貫通孔３６のうち前端と中央の２つの貫通孔３６は、保持溝３４のうち拡幅部３５より前方の領域に隣り合うように位置している。
【００３０】
各端子金具３７Ｆ，３７Ｓ，３７Ｔは、金属板材に曲げ加工した単一部品であり、端子基部３８と、端子基部３８の前端縁から前方へ直線状に延出した前向きタブ３９Ｆと、端子基部３８の後端縁から後方へ直線状に延出した後向きタブ３９Ｒと、端子基部３８から下方へ直線状に延出した下向きタブ３９Ｄとから構成されている。端子基部３８と前向きタブ３９Ｆと後向きタブ３９Ｒは、前後方向に一直線状に連なっている。下向きタブ３９Ｄは、端子基部３８の前端縁のうち前向きタブ３９Ｆの基端部（端子基部３８に連なる後端部）に対して側方にずれた位置から、前後両タブ３９Ｆ，３９Ｒに対して直角に延出している。
【００３１】
各仮保持部材３１には、複数の端子金具３７Ｆ，３７Ｓ，３７Ｔが、前後方向及び左右方向に位置決めされた状態で仮保持される。仮保持状態では、下向きタブ３９Ｄが拡幅部３５の貫通孔３６に挿通され、端子基部３８が保持溝３４の拡幅部３５内に嵌入され、前向きタブ３９Ｆの基端部と後向きタブ３９Ｒの基端部（前端部）が保持溝３４に嵌入される。仮保持部材３１と端子金具３７Ｆ，３７Ｓ，３７Ｔには、端子金具３７Ｆ，３７Ｓ，３７Ｔが仮保持部材３１から上方へ離脱させるための手段は設けられていない。
【００３２】
図１０に示すように、上段の仮保持部材３１には第１端子金具３７Ｆが仮保持され、中段の仮保持部材３１には第２端子金具３７Ｓが仮保持され、下段の仮保持部材３１には第３端子金具３７Ｔが仮保持されている。第１端子金具３７Ｆの下向きタブ３９Ｄは、上段の仮保持部材３１の貫通孔３６だけでなく、中段の仮保持部材３１の貫通孔３６と下段の仮保持部材３１の貫通孔３６にも挿通される。第２端子金具３７Ｓの下向きタブ３９Ｄは、中段の仮防振部材材の貫通孔３６だけでなく、下段の仮保持部材３１の貫通孔３６にも挿通される。
【００３３】
端子金具３７Ｆ，３７Ｓ，３７Ｔが仮保持された３つの仮保持部材３１を積層した状態では、上段の仮保持部材３１が最も前側に位置し、下段の仮保持部材３１が最も後側に位置することを勘案し、図１２に示すように、前向きタブ３９Ｆの端子基部３８からの突出寸法は、第１端子金具３７Ｆが最も短く設定され、第３端子金具３７Ｔが最も長く設定されている。この寸法設定により、図４，５，９に示すように、前後方向において、全ての端子金具３７Ｆ，３７Ｓ，３７Ｔの全ての前向きタブ３９Ｆの前端の位置が揃っている。
【００３４】
また、後向きタブ３９Ｒの端子基部３８からの突出寸法は、第１端子金具３７Ｆが最も長く設定され、第３端子金具３７Ｔが最も短く設定されている。この寸法設定により、図４，５，９に示すように、前後方向において、全ての端子金具３７Ｆ，３７Ｓ，３７Ｔの全ての後向きタブ３９Ｒの後端の位置が揃っている。さらに、下向きタブ３９Ｄの端子基部３８からの突出寸法は、第１端子金具３７Ｆが最も長く設定され、第３端子金具３７Ｔが最も短く設定されている。この寸法設定により、図４，６に示すように、上下方向において、全ての端子金具３７Ｆ，３７Ｓ，３７Ｔの全ての下向きタブ３９Ｄの下端の位置が揃っている。
【００３５】
＜短絡モジュール４０＞
図１３に示すように、短絡モジュール４０は、複数の短絡ユニット４１を積層して構成されている。図１４〜１８に示すように、１つの短絡ユニット４１は、一枚の金属製の短絡プレート４２（請求項に記載の短絡部材）と、１枚の合成樹脂製の絶縁プレート４７とを組み付けて構成されている。
【００３６】
短絡プレート４２は、正面視形状が横長の方形をなす板状の部材である。短絡プレート４２の外周縁のうち一方の長辺部には、誤組防止凹部４３が形成されている。短絡プレート４２には、複数の非接触孔４４と複数の導通孔４５が、タブ３９Ｆ，３９Ｄ，３９Ｒの配置と対応するように縦横に整列して形成されている。非接触孔４４の開口形状は方形である。非接触孔４４の各辺の寸法は、タブ３９Ｆ，３９Ｄ，３９Ｒの高さ寸法及び幅寸法よりも大きく設定されている。
【００３７】
導通孔４５は、横向きのＨ字形をなすように開口しており、互いに対向するように内向きに突出した一対の弾性接触片４６を有している。一対の弾性接触片４６は弾性変形が可能であり、一対の弾性接触片４６が弾性変形していない自由状態における一対の弾性接触片４６の最小間隔は、タブ３９Ｆ，３９Ｄ，３９Ｒの幅寸法よりも小さく設定されている。したがって、導通孔４５に貫通されたタブ３９Ｆ，３９Ｄ，３９Ｒは、短絡プレート４２と導通可能な状態となる。これらの導通孔４５と非接触孔４４は、短絡させるタブ３９Ｆ，３９Ｄ，３９Ｒ同士の組合せに応じて適宜に配置されている。
【００３８】
絶縁プレート４７は、正面視形状が短絡プレート４２よりも一回り大きい横長の方形をなす板状の部材である。絶縁プレート４７の外周縁のうち一方の長辺部には、正面側へ突出した受けリブ４８が形成されている。短絡プレート４２の正面には、受けリブ４８から突出した形態であって誤組防止凹部４３と嵌合する誤組防止突起４９が形成されている。
【００３９】
絶縁プレート４７の外周縁のうち一対の短辺部には、正面側へ突出する支持リブ５０が形成されている。支持リブ５０には、短絡プレート４２の外周縁のうち一対の短辺部を嵌合させるための取付溝５１が形成されている。絶縁プレート４７には、その板厚方向に貫通する複数のガイド孔５２が、非接触孔４４及び導通孔４５と対応するように縦横に整列して形成されている。ガイド孔５２は、方形に開口している。ガイド孔５２の一辺の寸法は、非接触孔４４の一辺より小さく、タブの高さ及び幅寸法とほぼ同じ寸法である。
【００４０】
＜コネクタＡの内部構造＞
コネクタＡの内部では、３つの短絡モジュール４０が、各分割体１３Ｆ，１３Ｄ，１３Ｒの収容部１４Ｆ，１４Ｄ，１４Ｒ内に個別に収容されて隔壁部１５に当接した状態で本体部１１内に取り付けられている。短絡プレート４２の正面は隔壁部１５と対向し、絶縁プレート４７の背面は収容部１４Ｆ，１４Ｄ，１４Ｒの開口側に臨む向きとなっている。端子モジュール３０も本体部１１内に収容されている。
【００４１】
前向きタブ３９Ｆは、前側分割体１３Ｆ内の短絡モジュール４０のガイド孔５２、非接触孔４４、導通孔４５、隔壁部１５の位置決め孔１６に貫通されている。後向きタブ３９Ｒは、後側分割体１３Ｒ内の短絡モジュール４０のガイド孔５２、非接触孔４４、導通孔４５、隔壁部１５の位置決め孔１６に貫通されている。下向きタブ３９Ｄは、下側分割体１３Ｄ内の短絡モジュール４０のガイド孔５２、非接触孔４４、導通孔４５、隔壁部１５の位置決め孔１６に貫通されている。前向きフード部１２Ｆ内には複数の前向きタブ３９Ｆの前端部が収容され、後向きフード部１２Ｒ内には複数の後向きタブ３９Ｒの後端部が収容され、下向きフード部１２Ｄ内には複数の下向きタブ３９Ｄの下端部が収容されている。
【００４２】
複数の前向きタブ３９Ｆのうち各短絡プレート４２の複数の導通孔４５に貫通されたもの同士は、この短絡プレート４２を介して短絡可能な状態となる。前向きタブ３９Ｆのうち非接触孔４４を貫通するものは、その非接触孔４４が形成されている短絡プレート４２とは導通しない。前向きタブ３９Ｆは、導通孔４５の配置が異なる複数枚の短絡プレート４２を貫通しているので、前向きタブ３９Ｆの短絡パターンは、１つの短絡モジュール４０を構成する短絡プレート４２の枚数と同じ数だけ設定することができる。後向きタブ３９Ｒ同士と下向きタブ３９Ｄ同士も、前向きタブ３９Ｆと同様、複数のパターンで短絡可能とすることができる。
【００４３】
＜実施例１の作用及び効果＞
本実施例１のコネクタＡは、端子基部３８と、端子基部３８から互いに異なる方向へ延出した３本のタブ３９Ｆ，３９Ｄ，３９Ｒを有する端子金具３７Ｆ，３７Ｓ，３７Ｔと、端子基部３８を収容する本体部１１と、３本のタブ３９Ｆ，３９Ｄ，３９Ｒを個別に包囲する３つのフード部１２Ｆ，１２Ｄ，１２Ｒを有するハウジング１０とを備えている。図４に示すように、各フード部１２Ｆ，１２Ｄ，１２Ｒには、ワイヤーハーネス５０を構成する３本の導電路５１Ｆ，５１Ｄ，５１Ｒの端末部が嵌合されている。導電路５１Ｆ，５１Ｄ，５１Ｒは、端子金具３７Ｆ，３７Ｓ，３７Ｔと同数の電線（図示省略）から構成され、各電線は雌形端子（図示省略）を介して各タブ３９Ｆ，３９Ｄ，３９Ｒと個別に接続されている。
【００４４】
前向きフード部１２Ｆに嵌合された前側導電路５１Ｆと、後向きフード部１２Ｒに嵌合された後側導電路５１Ｒは、前向きタブ３９Ｆと端子基部３８と後向きタブ３９Ｒを介すことにより、前後方向に延びた幹線５２Ｍを構成する。下向きフード部１２Ｄに嵌合された下側導電路５１Ｄと下向きタブ３９Ｄは、幹線Ｍから略直角に下向きに分岐した分岐線５２Ｓを構成する。幹線Ｍと分岐線５２Ｓは、ワイヤーハーネス５０を構成する。
【００４５】
幹線Ｍから分岐線５２Ｓが分岐する部分は、端子基部３８と３本のタブ３９Ｆ，３９Ｄ，３９Ｒの基端部とで構成されている。ここで、各タブ３９Ｆ，３９Ｄ，３９Ｒの基端部は直線形状をなしていて、幹線Ｍを構成する前向きタブ３９Ｆの基端部（後端部）と端子基部３８と後向きタブ３９Ｒの基端部（前端部）は、一直線状に連なっている。分岐線５２Ｓを構成する下向きタブ３９Ｄは、端子基部３８（幹線Ｍ）にから小さい曲率半径でほぼ直角に屈曲して分岐している。このように幹線Ｍと分岐線５２Ｓを構成する端子金具３７Ｆ，３７Ｓ，３７Ｔの側面視形状はＴ字形であり、この端子金具３７Ｆ，３７Ｓ，３７Ｔを収容するハウジング１０の側面視形状もＴ字形である。したがって、本実施例のコネクタＡを用いれば、狭くて屈曲した空間内にワイヤーハーネス５０（導電路５１Ｆ，５１Ｄ，５１Ｒ）を配索することが可能である。
【００４６】
また、本体部１１と３つのフード部１２Ｆ，１２Ｄ，１２Ｒとを区画する３つの隔壁部１５には、タブ３９Ｆ，３９Ｄ，３９Ｒを位置決めする位置決め孔１６が形成されているので、１つの端子金具３７Ｆ，３７Ｓ，３７Ｔを、３つの位置決め孔１６によって安定して位置決めすることができる。また、ハウジング１０は、本体部１１を構成する収容部１４Ｆ，１４Ｄ，１４Ｒと１つのフード部１２Ｆ，１２Ｄ，１２Ｒとを一体化した複数の分割体１３Ｆ，１３Ｄ，１３Ｒを合体した形態である。この構成によれば、複数の収容部１４Ｆ，１４Ｄ，１４Ｒを合体することにより、端子金具３７Ｆ，３７Ｓ，３７Ｔの端子基部３８を本体部１１内に収容することが可能である。
【００４７】
また、本実施例のコネクタＡは仮保持部材３１を備えている。仮保持部材３１の上面には複数の保持溝３４が形成され、仮保持部材３１には上下に貫通する複数の貫通孔３６が形成されている。３本のタブ３９Ｆ，３９Ｄ，３９Ｒは、端子基部３８から前方と後方と下方へ延出しており、端子基部３８を保持溝３４に取り付けるとともに、下方へ延出した下向きタブ３９Ｄを貫通孔３６に貫通させた状態で、複数の端子金具３７Ｆ，３７Ｓ，３７Ｔが仮保持部材３１に取り付けられている。この構成によれば、１つの仮保持部材３１によって複数の端子金具３７Ｆ，３７Ｓ，３７Ｔを位置決めして仮保持しておくことができる。
【００４８】
また、複数の仮保持部材３１は上下に積層した状態に組付け可能であるから、前方へ延出した前向きタブ３９Ｆ同士を上下に並べて配置することができるとともに、後方へ延出した後向きタブ３９Ｒ同士を上下に並べて配置することができる。さらに、複数の仮保持部材３１は、全て同一の形状であって、積層状態で互いに前後方向に位置ずれした位置関係となるように嵌合する嵌合凸部３２と嵌合凹部３３を有している。この構成によれば、下方へ延出した複数の下向きタブ３９Ｄ同士を、互いに干渉させることなく前後に並ぶように配置することができる。
【００４９】
また、下向きタブ３９Ｄの端子基部３８からの延出寸法は、下段側の仮保持部材３１に取り付けた第２端子金具３７Ｓ又は第３端子金具３７Ｔよりも、上段側の仮保持部材３１に取り付けた第１端子金具３７Ｆ又は第２端子金具３７Ｓの方が長く設定されている。この構成によれば、下向きタブ３９Ｄの下端の高さを揃えることができる。
【００５０】
また、前向きタブ３９Ｆの端子基部３８からの延出寸法は、積層状態で前側に位置する仮保持部材３１に取り付けた第１端子金具３７Ｆ又は第２端子金具３７Ｓよりも、後側の仮保持部材３１に取り付けた第２端子金具３７Ｓ又は第３端子金具３７Ｔの方が長く設定されている。この構成によれば、前向きタブ３９Ｆの前端（延出端）の位置を揃えることができる。
【００５１】
また、後向きタブ３９Ｒの端子基部３８からの延出寸法は、積層状態で後側に位置する仮保持部材３１に取り付けた第２端子金具３７Ｓ又は第３端子金具３７Ｔよりも、前側の仮保持部材３１に取り付けた第１端子金具３７Ｆ又は第２端子金具３７Ｓの方が長く設定されている。この構成によれば、後向きタブ３９の後端（延出端）の位置を揃えることができる。
【００５２】
また、１つのハウジング１０には複数の端子金具３７Ｆ，３７Ｓ，３７Ｔが取り付けられており、ハウジング１０には、タブ３９Ｆ，３９Ｄ，３９Ｒに接触することで複数の端子金具３７Ｆ，３７Ｓ，３７Ｔ同士を短絡させる短絡プレート４２が設けられている。この構成によれば、端子金具３７Ｆ，３７Ｓ，３７Ｔ同士を短絡させることができる。さらに、短絡プレート４２は、タブ３９Ｆ，３９Ｄ，３９Ｒを接触状態で貫通させる導通孔４５と、タブ３９Ｆ，３９Ｄ，３９Ｒを非接触状態で貫通させる非接触孔４４とを備えている。この構成によれば、導通孔４５と非接触孔４４の配置を適宜に設定することで、所望の端子金具３７Ｆ，３７Ｓ，３７Ｔを短絡させることができる。
【００５３】
＜他の実施例＞
本発明は上記記述及び図面によって説明した実施例に限定されるものではなく、例えば次のような実施例も本発明の技術的範囲に含まれる。
（１）上記実施例では、１つの端子金具に形成されているタブの本数が３本であるが、１つの端子金具に形成されるタブの本数は４本以上でもよい。
（２）上記実施例では、端子金具の側面視形状がＴ字形であるが、端子金具の側面視形状は、Ｋ字形、Ｘ字形、Ｙ字形、Ｋ字形等であってもよい。
（３）上記実施例では、ハウジングを３つ（端子金具の種類数と同数）の分割体で構成したが、ハウジングを構成する分割体の数は、２つでもよく、４つ以上でもよい。この場合、端子金具の種類数と分割体の数は、同じでもよく、異なっていてもよい。
（４）上記実施例では、端子金具を仮保持部材に仮保持した状態でハウジングに組み付けたが、端子金具は、仮保持部材を用いずにハウジングに直接取り付けてもよい。
（５）上記実施例では、端子基部からのタブの延出寸法が異なる３種類の端子金具を、１つのハウジングに取り付けたが、１つのハウジングに取り付ける端子金具の種類数は、２種類以下でもよく、４種類以上でもよい。
（６）上記実施例では、複数の端子金具同士を短絡プレートを介して短絡させるようにしたが、端子金具同士を短絡させない形態としてもよい。
【符号の説明】
【００５４】
Ａ…コネクタ
１０…ハウジング
１１…本体部
１２Ｆ…前向きフード部（フード部）
１２Ｄ…下向きフード部（フード部）
１２Ｒ…後向きフード部（フード部）
１３Ｆ…前側分割体（分割体）
１３Ｄ…下側分割体（分割体）
１３Ｒ…後側分割体（分割体）
１５…隔壁部
１６…位置決め孔
３１…仮保持部材
３２…嵌合凸部（嵌合部）
３３…嵌合凹部（嵌合部）
３４…保持溝
３６…貫通孔
３７Ｆ…第１端子金具（端子金具）
３７Ｓ…第２端子金具（端子金具）
３７Ｔ…第３端子金具（端子金具）
３８…端子基部
３９Ｆ…前向きタブ（タブ）
３９Ｄ…下向きタブ（タブ）
３９Ｒ…後向きタブ（タブ）
４２…短絡プレート（短絡部材）
４４…非接触孔
４５…導通孔
【図１】
2018113098.tif 000003
【図２】
2018113098.tif 000004
【図３】
2018113098.tif 000005
【図４】
2018113098.tif 000006
【図５】
2018113098.tif 000007
【図６】
2018113098.tif 000008
【図７】
2018113098.tif 000009
【図８】
2018113098.tif 000010
【図９】
2018113098.tif 000011
【図１０】
2018113098.tif 000012
【図１１】
2018113098.tif 000013
【図１２】
2018113098.tif 000014
【図１３】
2018113098.tif 000015
【図１４】
2018113098.tif 000016
【図１５】
2018113098.tif 000017
【図１６】
2018113098.tif 000018
【図１７】
2018113098.tif 000019
【図１８】
2018113098.tif 000020
【図１９】
2018113098.tif 000021
【手続補正書】
【提出日】平成29年9月22日(2017.9.22)
【手続補正１】
【補正対象書類名】明細書
【補正対象項目名】００２０
【補正方法】変更
【補正の内容】
【００２０】
本実施例１のコネクタＡは、例えば自動車のボディのピラーの内部のような狭く屈曲した空間内にワイヤーハーネス６０を配索する場合に用いられるものであり、ワイヤーハーネス６０を構成する複数の導電路６１Ｆ，６１Ｄ，６１Ｒを中継して分岐させる機能を有する。コネクタＡは、合成樹脂製のハウジング１０と、ハウジング１０内に設けた１つの端子モジュール３０と、ハウジング１０内に設けた３つの短絡モジュール４０とを備えている。
【手続補正２】
【補正対象書類名】明細書
【補正対象項目名】００４３
【補正方法】変更
【補正の内容】
【００４３】
＜実施例１の作用及び効果＞
本実施例１のコネクタＡは、端子基部３８と、端子基部３８から互いに異なる方向へ延出した３本のタブ３９Ｆ，３９Ｄ，３９Ｒを有する端子金具３７Ｆ，３７Ｓ，３７Ｔと、端子基部３８を収容する本体部１１と、３本のタブ３９Ｆ，３９Ｄ，３９Ｒを個別に包囲する３つのフード部１２Ｆ，１２Ｄ，１２Ｒを有するハウジング１０とを備えている。図４に示すように、各フード部１２Ｆ，１２Ｄ，１２Ｒには、ワイヤーハーネス６０を構成する３本の導電路６１Ｆ，６１Ｄ，６１Ｒの端末部が嵌合されている。導電路６１Ｆ，６１Ｄ，６１Ｒは、端子金具３７Ｆ，３７Ｓ，３７Ｔと同数の電線（図示省略）から構成され、各電線は雌形端子（図示省略）を介して各タブ３９Ｆ，３９Ｄ，３９Ｒと個別に接続されている。
【手続補正３】
【補正対象書類名】明細書
【補正対象項目名】００４４
【補正方法】変更
【補正の内容】
【００４４】
前向きフード部１２Ｆに嵌合された前側導電路６１Ｆと、後向きフード部１２Ｒに嵌合された後側導電路６１Ｒは、前向きタブ３９Ｆと端子基部３８と後向きタブ３９Ｒを介すことにより、前後方向に延びた幹線５２Ｍを構成する。下向きフード部１２Ｄに嵌合された下側導電路６１Ｄと下向きタブ３９Ｄは、幹線Ｍから略直角に下向きに分岐した分岐線５２Ｓを構成する。幹線Ｍと分岐線５２Ｓは、ワイヤーハーネス６０を構成する。
【手続補正４】
【補正対象書類名】明細書
【補正対象項目名】００４５
【補正方法】変更
【補正の内容】
【００４５】
幹線Ｍから分岐線５２Ｓが分岐する部分は、端子基部３８と３本のタブ３９Ｆ，３９Ｄ，３９Ｒの基端部とで構成されている。ここで、各タブ３９Ｆ，３９Ｄ，３９Ｒの基端部は直線形状をなしていて、幹線Ｍを構成する前向きタブ３９Ｆの基端部（後端部）と端子基部３８と後向きタブ３９Ｒの基端部（前端部）は、一直線状に連なっている。分岐線５２Ｓを構成する下向きタブ３９Ｄは、端子基部３８（幹線Ｍ）から小さい曲率半径でほぼ直角に屈曲して分岐している。このように幹線Ｍと分岐線５２Ｓを構成する端子金具３７Ｆ，３７Ｓ，３７Ｔの側面視形状はＴ字形であり、この端子金具３７Ｆ，３７Ｓ，３７Ｔを収容するハウジング１０の側面視形状もＴ字形である。したがって、本実施例のコネクタＡを用いれば、狭くて屈曲した空間内にワイヤーハーネス６０（導電路６１Ｆ，６１Ｄ，６１Ｒ）を配索することが可能である。
【手続補正５】
【補正対象書類名】明細書
【補正対象項目名】００５３
【補正方法】変更
【補正の内容】
【００５３】
＜他の実施例＞
本発明は上記記述及び図面によって説明した実施例に限定されるものではなく、例えば次のような実施例も本発明の技術的範囲に含まれる。
（１）上記実施例では、１つの端子金具に形成されているタブの本数が３本であるが、１つの端子金具に形成されるタブの本数は４本以上でもよい。
（２）上記実施例では、端子金具の側面視形状がＴ字形であるが、端子金具の側面視形状は、Ｋ字形、Ｘ字形、Ｙ字形等であってもよい。
（３）上記実施例では、ハウジングを３つ（端子金具の種類数と同数）の分割体で構成したが、ハウジングを構成する分割体の数は、２つでもよく、４つ以上でもよい。この場合、端子金具の種類数と分割体の数は、同じでもよく、異なっていてもよい。
（４）上記実施例では、端子金具を仮保持部材に仮保持した状態でハウジングに組み付けたが、端子金具は、仮保持部材を用いずにハウジングに直接取り付けてもよい。
（５）上記実施例では、端子基部からのタブの延出寸法が異なる３種類の端子金具を、１つのハウジングに取り付けたが、１つのハウジングに取り付ける端子金具の種類数は、２種類以下でもよく、４種類以上でもよい。
（６）上記実施例では、複数の端子金具同士を短絡プレートを介して短絡させるようにしたが、端子金具同士を短絡させない形態としてもよい。
【手続補正７】
【補正対象書類名】図面
【補正対象項目名】図４
【補正方法】変更
【補正の内容】
【図４】
2018113098.tif 000022